(57)【要約】【課題】  デジタルコンテンツを管理する装置及び方法を提供する。【解決手段】  デジタル権限管理を適用して生成されたコンテンツを管理する装置において、コンテンツを実行するコンテンツ実行部と、コンテンツが正常的に第１実行される第１期間に属するコンテンツであるか否かを確認し、コンテンツの属している期間が第１期間である場合、コンテンツが正常的に実行されるように制御し、コンテンツの属している期間が第１期間でない第２期間である場合、コンテンツが第２実行されるようにコンテンツ実行部を制御する制御部と、を備え、第１実行及び第２実行は、相異なることを特徴とする装置である。これにより、満了期間が近づいたコンテンツに対する実行を制御し、ユーザにコンテンツの満了期間についての管理を行わせる。【選択図】      図２
2008181513.tif 000002
【特許請求の範囲】
【請求項１】
デジタル権限管理を適用して生成されたコンテンツを管理する方法において、
前記コンテンツが正常的に実行される第１期間に属するコンテンツであるか否かを確認するステップと、
前記コンテンツの属している期間が前記第１期間である場合、前記コンテンツを正常的に第１実行し、前記コンテンツの属している期間が前記第１期間ではない第２期間である場合、前記コンテンツを第２実行するステップと、を含み、前記第１実行及び第２実行は、相異なることを特徴とする方法。
【請求項２】
前記コンテンツについてのライセンス内容に含まれた有効期間が条件期間及び猶予期間を含む場合、
前記第１期間は条件期間であり、前記第２期間は、猶予期間であることを特徴とする請求項１に記載の方法。
【請求項３】
前記コンテンツについてのライセンス内容に含まれた有効期間が条件期間及び猶予期間を含む場合、
前記コンテンツに対する実行を猶予する実行期間を付与するステップをさらに含み、
前記第１期間は、条件期間及び猶予期間であり、前記第２期間は、前記付与された実行期間であることを特徴とする請求項１に記載の方法。
【請求項４】
前記コンテンツについてのライセンス内容に含まれた有効期間が条件期間である場合、
前記コンテンツに対する実行を猶予する実行期間を付与するステップをさらに含み、
前記第１期間は、条件期間であり、前記第２期間は、前記付与された実行期間であることを特徴とする請求項１に記載の方法。
【請求項５】
前記第２実行は、前記コンテンツの一部の再生を制限するか、または前記コンテンツの全部または一部に対する画質を低下することを特徴とする請求項１に記載の方法。
【請求項６】
前記第２実行は、第２期間の間に前記コンテンツの管理に必要な情報を提供することを特徴とする請求項５に記載の方法。
【請求項７】
前記コンテンツの管理に必要な情報は、前記コンテンツの実行状態を表す情報及び前記コンテンツを再使用するために必要な情報のうち少なくとも一つの情報を含むことを特徴とする請求項６に記載の方法。
【請求項８】
前記コンテンツの実行状態を表す情報は、前記再生されていないコンテンツの一部の位置及び大きさ情報、及び前記コンテンツの画質低下程度を表す情報のうち一つの情報を含むことを特徴とする請求項７に記載の方法。
【請求項９】
前記第２実行は、前記コンテンツを再使用するために必要な情報を別途に保存することを特徴とする請求項１に記載の方法。
【請求項１０】
前記コンテンツの再使用に必要な情報は、
前記コンテンツ生成者のＵＲＬ、前記コンテンツに対するライセンス提供者のＵＲＬ、及び前記コンテンツの配布者のＵＲＬのうち少なくとも一つを含むことを特徴とする請求項９に記載の方法。
【請求項１１】
前記コンテンツの一部が正常的に実行されない場合、コンテンツ提供サーバに接続して、前記正常的に実行されないコンテンツの一部を受信するステップをさらに含むことを特徴とする請求項１に記載の方法。
【請求項１２】
デジタル権限管理を適用して生成されたコンテンツを管理する装置において、
前記コンテンツを実行するコンテンツ実行部と、
前記コンテンツが正常的に第１実行される第１期間に属するコンテンツであるか否かを確認し、前記コンテンツの属している期間が前記第１期間である場合、前記コンテンツが正常的に実行されるように制御し、前記コンテンツの属している期間が前記第１期間でない第２期間である場合、前記コンテンツが第２実行されるように前記コンテンツ実行部を制御する制御部と、を備え、前記第１実行及び前記第２実行は、相異なることを特徴とする装置。
【請求項１３】
前記コンテンツについてのライセンス内容に含まれた有効期間が条件期間及び猶予期間を含む場合、前記制御部は、条件期間を前記第１期間と決定し、前記猶予期間を前記第２期間と決定することを特徴とする請求項１２に記載の装置。
【請求項１４】
前記コンテンツについてのライセンス内容に含まれた有効期間が条件期間及び猶予期間を含む場合、
前記制御部は、前記コンテンツに対する実行を猶予する実行期間を付与し、前記条件期間及び前記猶予期間を前記第１期間と決定し、前記付与された実行期間を前記第２期間と決定することを特徴とする請求項１２に記載の装置。
【請求項１５】
前記コンテンツについてのライセンス内容に含まれた有効期間が条件期間である場合、
前記制御部は、前記コンテンツに対する実行を猶予する実行期間を付与し、前記条件期間を前記第１期間と決定し、前記付与された実行期間を前記第２期間と決定することを特徴とする請求項１２に記載の装置。
【請求項１６】
前記制御部は、前記第２期間の間に前記コンテンツの一部の再生を制限するか、または前記コンテンツの全部または一部に対する画質を低下させて、前記コンテンツを実行するように前記コンテンツ実行部を制御することを特徴とする請求項１２に記載の装置。
【請求項１７】
前記制御部は、前記第２期間の間に前記コンテンツの管理に必要な情報を提供することを特徴とする請求項１６に記載の装置。
【請求項１８】
前記コンテンツの管理に必要な情報は、前記コンテンツの実行状態を表す情報及び前記コンテンツを再使用するために必要な情報のうち少なくとも一つの情報を含むことを特徴とする請求項１７に記載の装置。
【請求項１９】
前記コンテンツの実行状態を表す情報は、前記再生されないコンテンツの一部の位置及び大きさ情報、及び前記コンテンツの画質低下程度を表す情報のうち一つの情報を含むことを特徴とする請求項１８に記載の装置。
【請求項２０】
前記制御部は、前記第２期間の間に、前記コンテンツを再使用するために必要な情報を別途に保存することを特徴とする請求項１２に記載の装置。
【請求項２１】
前記コンテンツを再使用するために必要な情報は、
前記コンテンツ生成者のＵＲＬ、前記コンテンツに対するライセンス提供者のＵＲＬ及び前記コンテンツの配布者のＵＲＬのうち少なくとも一つを含むことを特徴とする請求項２０に記載の装置。
【請求項２２】
通信網との接続を制御する通信部をさらに備え、
前記制御部は、正常的に実行されないコンテンツに対する再使用を要請するユーザ入力信号が受信されれば、コンテンツ提供サーバに接続して、前記正常的に実行されないコンテンツを受信するように前記通信部を制御することを特徴とする請求項１２に記載の装置。
【請求項２３】
デジタル権限管理を適用して生成されたコンテンツを管理する方法を具現するためのプログラムを記録したコンピュータで読み取り可能な記録媒体において、前記方法は、
前記コンテンツが正常的に第１実行される第１期間に属するコンテンツであるか否かを確認するステップと、
前記コンテンツの属している期間が前記第１期間である場合、前記コンテンツを正常的に実行し、前記コンテンツの属している期間が前記第１期間でない第２期間である場合、前記コンテンツを第２実行するステップと、を含み、前記第１実行及び前記第２実行は、相異なることを特徴とする記録媒体。
【発明の詳細な説明】
【技術分野】
【０００１】
本発明は、コンテンツの管理装置及び方法に係り、さらに詳細には、使用期限の決まったデジタル権限管理（ＤＲＭ：Ｄｉｇｉｔａｌ  Ｒｉｇｈｔｓ  Ｍａｎａｇｅｍｅｎｔ）コンテンツを管理する装置及び方法に関する。
【背景技術】
【０００２】
デジタルコンテンツは、アナログデータとは異なり、損失なしに複製できるという点、再使用、加工及び配布が容易であり、複製及び配布を容易にできるという特性がある。そうした、デジタルコンテンツの製作には、高いコスト及び時間が要求されるので、デジタルコンテンツを不法複製及び配布が問題となっている。不法複製によるコンテンツ及びコンテンツ製作者を保護するために、ＤＲＭに関する研究が活発であり、ＤＲＭを利用した多くのサービスが導入されている。
【０００３】
ＤＲＭは、コンテンツ提供者の権利及び利益を安全に保護し、不法複製を防止し、使用料の賦課と決済代行など、コンテンツの生成から流通管理までを支援する技術である。従来の技術において、ライセンスは、機械または人間が読み取れる利用条件を含むが、その変更を防止するために電子署名を追加して伝送する。利用条件は、有効期間、再生回数、最大連続再生時間、総再生時間または再生品質を含む。
【０００４】
ユーザがコンテンツをアクセスするためにライセンスを獲得すれば、ＤＲＭシステムは、ライセンスに明示された利用条件を検査し、利用条件に合致する場合、ユーザが要請したコンテンツを実行する。利用条件のうちコンテンツの有効期間の要件が合致しなければ、すなわち、有効期間が経過すれば、ユーザ端末装置に保存されて利用されたコンテンツが削除される方法で、ユーザは、コンテンツをそれ以上使用できなくなる。
【発明の開示】
【発明が解決しようとする課題】
【０００５】
本発明が解決しようとする技術的課題は、満了期限の近いコンテンツに対する実行を制御して、ユーザがコンテンツの管理を効率的にでき、ユーザのコンテンツの再使用を誘導するためのコンテンツ管理装置及び方法を提供することである。
【０００６】
本発明が解決しようとする他の技術的課題は、満了期限の近いコンテンツに対する実行を制御して、ユーザがコンテンツの管理を効率的にでき、コンテンツの再使用を誘導するためのコンテンツ管理方法を具現するためのコンピュータで読み取り可能なプログラムを記録した記録媒体を提供することである。
【課題を解決するための手段】
【０００７】
前記課題を解決するための本発明の一特徴によるＤＲＭを適用して生成されたコンテンツを管理する方法は、コンテンツが正常的に実行される第１期間に属するコンテンツであるか否かを確認するステップと、コンテンツの属している期間が第１期間である場合、コンテンツを正常的に実行し、コンテンツの属している期間が第１期間でない第２期間である場合、第１期間の実行と区別されるようにコンテンツを実行するステップとを含む。
【０００８】
前記課題を解決するための本発明の他の特徴によるＤＲＭを適用して生成されたコンテンツを管理する装置は、コンテンツを実行するコンテンツ実行部と、コンテンツが正常的に実行される第１期間に属するコンテンツであるか否かを確認し、コンテンツの属している期間が第１期間である場合、コンテンツを正常的に実行し、コンテンツの属している期間が第１期間でない第２期間である場合、第１期間の実行と区別されるようにコンテンツを実行するようにコンテンツ実行部を制御する制御部とを備える。
【０００９】
前記課題を解決するための本発明のさらに他の特徴によるＤＲＭを適用して生成されたコンテンツを管理する方法を具現するためのプログラムを記録したコンピュータで読み取り可能な記録媒体において、方法は、コンテンツが正常的に実行される第１期間に属するコンテンツであるか否かを確認するステップと、コンテンツの属している期間が第１期間である場合、コンテンツを正常的に実行し、コンテンツの属している期間が第１期間でない第２期間である場合、第１期間の実行と区別されるようにコンテンツを実行するステップとを含む。
【発明の効果】
【００１０】
本発明によれば、使用期間の決まったＤＲＭコンテンツについて、コンテンツをそれ以上使用できない満了期間が渡来する前である所定の期間にコンテンツに対する実行を制御することによって、ユーザに満了期間が近づいているということを効果的に知らせうる。したがって、ユーザは、コンテンツを利用できる期間が容易に確認できるので、コンテンツを効率的に管理しうる。また、本発明によれば、使用期間についての情報以外にも、コンテンツの再使用のために必要な情報を提供することによって、コンテンツの正常再生の保証される期間が過ぎたコンテンツに対するユーザの再使用を誘導しうる。
【発明を実施するための最良の形態】
【００１１】
以下、添付した図面を参照して本発明の望ましい実施形態について詳細に説明する。
【００１２】
図１は、本発明の一実施形態によるコンテンツ提供装置及びコンテンツ使用装置を示す図である。図１に示されたデジタルコンテンツシステムは、コンテンツ提供装置１００及びコンテンツ使用装置２００を備える。コンテンツ提供装置１００は、保存部１１０、ＤＲＭパッケージング部１２０及び通信部１３０を備える。
【００１３】
保存部１１０は、ＤＲＭを適用したコンテンツと利用条件とを保存する。本明細書で、コンテンツは、ＤＲＭコンテンツであって、その種類に制限がない。
【００１４】
ＤＲＭパッケージング部１２０は、コンテンツに対するＤＲＭを行う。そのためのＤＲＭパッケージング部１２０は、暗号化部１２２及びライセンス生成部１２４を備える。暗号化部１２２は、コンテンツを暗号化してコンテンツを生成する。ライセンス生成部１２４は、コンテンツを使用する時に必要なライセンスを生成する。
【００１５】
通信部１３０は、コンテンツ及びライセンスを伝送経路によってコンテンツ使用装置２００に伝送する。
【００１６】
一方、コンテンツ使用装置２００は、コンテンツ提供装置１００からコンテンツを伝達されて使用する。図１には、コンテンツ提供装置１００からコンテンツ及びライセンスを提供されると示されているが、コンテンツ及びライセンスを異なる装置から受信し、コンテンツ及びライセンスの受信は、色々な経路を通じてなされる。
【００１７】
コンテンツ使用装置２００は、通信部２１０、保存部２２０、ＤＲＭ処理部２３０及びコンテンツ実行部２４０を備える。
【００１８】
通信部２１０を通じて受信されたコンテンツ及びライセンスは、保存部２２０に保存される。
【００１９】
ＤＲＭ処理部２３０は、復号化部２３２及びライセンス処理部２３４を備える。復号化部２３２は、暗号化されたコンテンツを復号化し、コンテンツキーが暗号化されている場合、コンテンツキーを復号化する。ライセンス処理部２３４は、ライセンスを管理し、ユーザが行おうとする動作がライセンスに含まれる利用条件を満足するか否かを確認する。
【００２０】
ライセンス処理部２３４でユーザが行おうとする動作がライセンスに含まれる利用条件を満足することが確認されれば、コンテンツ実行部２４０は、復号化されたコンテンツを実行する。
【００２１】
図２は、本発明の一実施形態による図１のコンテンツ使用装置２００に含まれるコンテンツ管理装置を示す図である。図２には、ライセンス処理部２３４及びコンテンツ実行部２４０は、本発明のコンテンツ管理装置に対応する。
【００２２】
ライセンス処理部２３４は、ライセンスを利用してユーザのコンテンツに対する認証及び認可を行う。ライセンス処理部２３４は、ライセンス解釈部２３５及び制御部２３６を備える。ライセンス解釈部２３５は、ライセンスの内容を解釈する。特に、ライセンス解釈部２３５は、ライセンスの内容のうち有効期間についての内容を解釈する。有効期間は、コンテンツの正常的な使用を許容する条件期間を含みうる。または、有効期間は、条件期間以外にも、条件期間が過ぎても一定期間コンテンツの使用を猶予する猶予期間をさらに含みうる。
【００２３】
従来の技術では、コンテンツが正常的に実行されて有効期間が満了すれば、コンテンツの実行が中断された。しかし、本発明によれば、コンテンツを使用できる期間の満了期限が近づくということをユーザに効果的に知らせるために、コンテンツが正常的に実行される第１期間及びコンテンツの満了期限が迫っていることを効果的に知らせるために、第１期間でのコンテンツ実行方法と区別される方法でコンテンツを実行するための第２期間が設定される。
【００２４】
第１期間及び第２期間を定める方法は、あらかじめコンテンツ使用装置２００に保存されている。または、第１期間及び第２期間は、ユーザ入力信号によって設定が変更されることもある。
【００２５】
本発明の一実施形態によれば、コンテンツについてのライセンス内容に含まれた有効期間が条件期間及び猶予期間を含む場合、制御部２３６は、条件期間を第１期間と決定し、猶予期間を第２期間と決定しうる。
【００２６】
本発明の他の実施形態によれば、コンテンツについてのライセンス内容に含まれた有効期間が条件期間及び猶予期間を含む場合、制御部２３６は、条件期間及び猶予期間を第１期間と決定しうる。制御部２３６は、コンテンツに対する実行を猶予する第３期間を付与し、付与された第３期間を第２期間と決定しうる。コンテンツ提供装置１００から所定の猶予期間を付与できる権限をあらかじめ付与された場合に、このようにコンテンツユーザ装置２００で所定の猶予期間を付与しうる。
【００２７】
本発明のさらに他の実施形態によれば、コンテンツについてのライセンス内容が含まれた有効期間が条件期間である場合、制御部２３６は、条件期間を第１期間と決定しうる。そして、制御部２３６は、コンテンツに対する実行を猶予する第４期間を付与し、付与された第４期間を第２期間と決定しうる。
【００２８】
ユーザがユーザインターフェース（図示せず）を通じてコンテンツを実行するためのユーザ入力信号が受信されれば、制御部２３６は、コンテンツが現在どんな期間に属するコンテンツであるかを確認する。
【００２９】
制御部２３６は、まず、前記コンテンツが正常的に実行される第１期間に属するコンテンツであるかを確認する。次いで、制御部２３６は、コンテンツの属している期間が第１期間である場合、コンテンツを正常的に実行するようにコンテンツ実行部２４０を制御する。また、制御部２３６は、コンテンツの属している期間が第１期間でない第２期間である場合、第１期間の実行と区別されるように、コンテンツを実行するようにコンテンツ実行部２４０を制御する。
【００３０】
本発明の一実施形態によれば、コンテンツ実行部２４０は、第１期間にコンテンツを正常的に実行するための第１実行部２４２及び第２期間にコンテンツを実行するための第２実行部２４４を備えて構成される。したがって、制御部２３６は、実行されるコンテンツが第１期間に該当するコンテンツである場合、第１実行部２４２が動作するように制御し、実行されるコンテンツが第２期間に該当するコンテンツである場合、第２実行部２４４が動作するように制御しうる。
【００３１】
第２実行部２４４は、第２期間にコンテンツの一部の再生を制限するか、またはコンテンツの全部または一部に対する画質を低下させてコンテンツを実行しうる。このとき、再生を制限する部分の長さ及び画質の低下程度を、コンテンツの使用期限に比例して調節しうる。
【００３２】
また、コンテンツの一部の再生を制限する時には、アナログコンテンツが経時的に変形される方式のように、コンテンツの端部の再生を制限しうる。また、コンテンツの利用条件に実行回数情報が含まれ、猶予された実行回数が存在する場合、残りの猶予された実行回数に比例してコンテンツの実行を制限することもある。
【００３３】
一方、第２期間にコンテンツを使用するユーザがコンテンツを効率的に管理させるために、制御部２３６は、第２期間にコンテンツの管理に必要な情報を提供しうる。コンテンツの管理に必要な情報は、コンテンツの有効期間が満了することを表すメッセージなど色々な形態でありうる。
【００３４】
例えば、コンテンツの管理に必要な情報は、猶予期間にコンテンツの実行状態を表す情報及びコンテンツを再使用するために、必要な情報のうち少なくとも一つの情報を含みうる。コンテンツの実行状態を表す情報は、再生されない部分の位置及び大きさ情報、及びコンテンツの画質低下程度を表す情報のうち一つの情報を含みうる。
【００３５】
したがって、ユーザは、コンテンツの一部の再生が制限される場合には、再生されないコンテンツの一部の位置及び大きさを表す情報をコンテンツの実行画面で共に提供される。または、ユーザは、コンテンツの画質が低下して実行される場合、コンテンツ実行画面で画質低下程度を表す情報を共に提供される。
【００３６】
また、コンテンツをそれ以上使用できなくなれば、コンテンツと関連したメタ情報も使用できなくなるので、第２期間が開始すれば、制御部２３６は、メタ情報のうちコンテンツの再使用に必要な情報が削除または廃棄されないように別途に保存して置ける。このとき、コンテンツの再使用に必要な情報は、ＤＲＭコンテンツ生成者、ＤＲＭコンテンツについてのライセンス提供者及びＤＲＭコンテンツの配布者のうち少なくとも一つのＵＲＬを含みうる。または、ＵＲＬを獲得できる所定の情報、例えば、ＩＳＢＮ（Ｉｎｔｅｒｎａｔｉｏｎａｌ  Ｓｔａｎｄａｒｄ  Ｂｏｏｋ  Ｎｕｍｂｅｒ）情報を保存して置ける。
【００３７】
一方、ユーザからコンテンツの再使用を要請するユーザ入力信号が受信されれば、制御部２３６がコンテンツ提供装置１００に接続して、実行できないコンテンツの一部に対する位置及び大きさについての情報をコンテンツ提供装置１００に伝達し、コンテンツの一部についてのみダウンロードすることもある。
【００３８】
図３は、本発明の一実施形態によるデジタルコンテンツ管理方法を示すフローチャートである。
【００３９】
ステップＳ３１０で、制御部２３６は、コンテンツが正常的に実行される第１期間に属するコンテンツであるか否かを確認する。
【００４０】
ステップＳ３１０で、コンテンツの属している期間が第１期間と確認されれば、ステップＳ３２０で、制御部２３６は、コンテンツ実行部２４０を制御してコンテンツを正常的に実行する。
【００４１】
ステップＳ３３０で、コンテンツの属している期間が第１期間でない第２期間である場合、ステップＳ３４０で、制御部２３６は、コンテンツ実行部２４０を制御して第１期間の実行と区別されるようにコンテンツを実行する。ステップＳ３４０は、コンテンツの一部の再生を制限するか、またはコンテンツの全部または一部についての画質を低下させて実行される。
【００４２】
本発明の一実施形態によれば、コンテンツについてのライセンス内容に含まれた有効期間が条件期間及び猶予期間を含む場合、第１期間は、条件期間であり、第２期間は、猶予期間である。したがって、コンテンツ実行部２４０は、第１期間である条件期間間は、コンテンツをユーザの要求によって正常的に実行し、第２期間である猶予期間は、第１期間のコンテンツ実行方法と区別されるようにコンテンツを実行する。
【００４３】
本発明の他の実施形態によれば、コンテンツについてのライセンス内容に含まれた有効期間が条件期間及び猶予期間を含む場合、第１期間は、条件期間及び猶予期間を合わせた期間と定めうる。制御部２３６でライセンス内容に含まれた猶予期間に追加してコンテンツに対する実行を猶予する第２の猶予期間と言える第３期間を付加する場合、第２期間は、コンテンツ提供装置１００で付与された第３期間と定めうる。したがって、コンテンツ実行部２４０は、ライセンス内容に含まれた条件期間及び猶予期間には、コンテンツをユーザの要求によって正常的に実行し、第２期間であるコンテンツ使用装置２００で付与された猶予期間は、第１期間のコンテンツ実行方法と区別されるようにコンテンツを実行する。
【００４４】
本発明のさらに他の実施形態によれば、コンテンツについてのライセンス内容が含まれた有効期間が条件期間を含み、猶予期間は、含まれていない場合がある。この場合には、コンテンツ使用装置２００で、制御部２３６は、コンテンツに対する実行を猶予する第４期間を付与しうる。制御部２３６で条件期間を第１期間と定め、付与された第４期間を第２期間と定める。したがって、コンテンツ使用装置２００は、ライセンス内容に含まれた条件期間となる第１期間には、コンテンツをユーザの要求によって正常的に実行し、コンテンツ使用装置２００で付与された猶予期間である第４期間となる第２期間には、第１期間のコンテンツ実行方法と区別されるようにコンテンツを実行する。
【００４５】
また、ステップＳ３４０で、第２期間にコンテンツの管理に必要な情報を提供しうる。制御部２３６は、猶予期間にコンテンツの実行状態を表す情報、例えば、画質低下程度を表す情報を提供し、満了期間までの期間を表せる。また、制御部２３６は、コンテンツを再使用するために必要な情報、例えば、コンテンツ提供者またはライセンス提供者のサーバへの接続に必要なＵＲＬ情報を提供しうる。
【００４６】
また、ステップＳ３３０で、コンテンツの有効期間が経過すれば、コンテンツと共に伝えられたメタ情報も損失されるので、メタ情報からコンテンツからのコンテンツを再使用するのに必要な情報を別途に保存しうる。コンテンツの再使用に必要な情報は、ＤＲＭコンテンツ生成者、ＤＲＭコンテンツについてのライセンス提供者及びＤＲＭコンテンツの配布者のうち少なくとも一つのＵＲＬを含みうる。
【００４７】
図４は、本発明の一実施形態によるデジタルコンテンツ管理方法を示すフローチャートである。
【００４８】
ステップＳ４１０で、ユーザ入力信号に基づいて実行するコンテンツが選択される。
【００４９】
ステップＳ４２０で、ライセンス解釈部２３５でライセンス内容のうち有効期間についての情報が確認され、制御部２３６では、コンテンツ使用装置で付与された猶予期間があるか否かと、ある程度の期間であるかとを確認する。
【００５０】
ステップＳ４３０で、制御部２３６で現在のコンテンツの該当する現在期間が、コンテンツが正常的に実行される第１期間と決定されれば、ステップＳ４４０で、コンテンツ実行部２４０は、コンテンツを正常的に実行する。
【００５１】
ステップＳ４５０で、制御部２３６で現在のコンテンツの属する期間が、コンテンツ利用期間の満了を表す必要がある第２期間に属すると確認されれば、ステップＳ４６０で、コンテンツ実行部２４０は、コンテンツの一部の再生を制限するか、またはコンテンツの全部または一部に対する画質を低下させて実行する。ステップＳ４６０で、コンテンツの再生が制限される一部についての大きさ及び位置情報またはコンテンツの画質低下程度を表すコンテンツの実行状態を表す情報を提供しうる。
【００５２】
ステップＳ４７０で、ユーザからコンテンツの正常的な再生を要請するユーザ入力信号が受信されれば、ステップＳ４８０で、コンテンツについてのライセンスを発給するライセンス提供者またはコンテンツ提供者のＵＲＬについての情報を表示する。このとき、ＵＲＬについての情報は、ユーザがＵＲＬを選択する時に、ＵＲＬに該当するサーバに接続できるようにリンク情報として提供される。ユーザがＵＲＬ情報を選択すれば、制御部２３６は、選択されたＵＲＬに対応するサーバに接続してコンテンツについてのライセンスを再び発給するか、またはコンテンツをダウンロードして、ユーザがコンテンツを再使用可能にする。
【００５３】
ステップＳ４８０では、ＵＲＬ情報が提供される代わりに、コンテンツの再使用に必要な情報が提供されるか、またはコンテンツの再使用を助ける動作が行われることもある。
【００５４】
本発明は、コンピュータで読み取り可能な記録媒体または伝送媒体にコンピュータ可読コードとして具現しうる。前記プログラムを具現するコード及びコードセグメントは、当該分野のコンピュータプログラマーによって容易に推論される。コンピュータで読み取り可能な記録媒体は、コンピュータシステムによって読み取られるデータが保存される全ての種類の記録装置を含む。コンピュータで読み取り可能な記録媒体の例としては、ＲＯＭ、ＲＡＭ、ＣＤ−ＲＯＭ、磁気テープ、フロッピー（登録商標）ディスク、光ディスクを含む。また、コンピュータで読み取り可能な記録媒体は、ネットワークに連結されたコンピュータシステムに分散され、分散方式でコンピュータ可読コードとして保存され、かつ実行される。
【００５５】
以上の説明は、本発明の一実施形態に過ぎず、当業者は、本発明の本質的特性から逸脱しない範囲で変形された形態で具現しうる。したがって、本発明の範囲は、前述した実施形態に限定されず、特許請求の範囲に記載された内容と同等な範囲内にある多様な実施形態が含まれるように解釈されねばならない。
【産業上の利用可能性】
【００５６】
本発明は、デジタルコンテンツ関連の技術分野に適用可能である。
【図面の簡単な説明】
【００５７】
【図１】本発明の一実施形態によるコンテンツ提供装置及びコンテンツ使用装置を示す図である。
【図２】本発明の一実施形態による図１のコンテンツ使用装置に含まれるコンテンツ管理装置を示す図である。
【図３】本発明の一実施形態によるコンテンツ管理方法を示すフローチャートである。
【図４】本発明の一実施形態によるコンテンツ管理方法を示すフローチャートである。
【符号の説明】
【００５８】
１００  コンテンツ提供装置
１１０,２２０  保存部
１２０  ＤＲＭパッケージング部
１２２  暗号化部
１２４  ライセンス生成部
１３０,２１０  通信部
２００  コンテンツ使用装置
２３０  ＤＲＭ処理部
２３２  復号化部
２３４  ライセンス処理部
２３５  ライセンス解釈部
２３６  制御部
２４０  コンテンツ実行部
２４２  第１実行部
２４４  第２実行部
【図１】
2008181513.tif 000003
【図２】
2008181513.tif 000004
【図３】
2008181513.tif 000005
【図４】
2008181513.tif 000006